(57)【要約】【課題】フィードモータにセルフロックが生じないようにすること。【解決手段】トレイに連動連結される合成樹脂製ウォ−ムホイール１０ａと、フィードモータ１４により正逆回転される合成樹脂製ウォ−ムギヤ１０ｂとからなるディスクプレーヤ用ウォ−ム機構であって、前記ウォ−ムギヤ１０ｂが、ウォ−ムホイール１０ａに噛合するねじ軸部１６と、フィードモータ１４の駆動軸１４ａに外嵌するボス部１７と、該ボス部１７をねじ軸部１６に同心状に一体連結する連結部１８と、ねじ軸部１６の先端に同心状に突設され側面をウォ−ムギヤ１０ｂに対向してラジアルストッパ２１により支持された先端軸部１６ａとを備え、前記連結部１８の内部に空隙１８ａを形成することにより、その連結部１８の横断面積がねじ軸部１６の横断面積よりも小さく設定されている。【選択図】        図１
2005042793.tif 000002
【特許請求の範囲】
【請求項１】
筐体に配置したディスク載置用トレイを前後進させるためのウォ−ム機構を有し、該ウォ−ム機構が、トレイに連動連結される合成樹脂製ウォ−ムホイールと、フィードモータにより正逆回転される合成樹脂製ウォ−ムギヤとからなり、該ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも大きく設定され、前記トレイの最前進状態を検知するトレイ検知器を有しており、最前進状態のトレイを後進側に押し込むことにより、前記トレイ検知器が検知オフ状態にされると、そのオフ信号に基づいてフィードモータを駆動してトレイを後進させるようにしたディスクプレーヤにおいて、前記ねじ軸部よりも横断面積を大きく設定した連結部を有するウォ−ムギヤに代えて、内部に空隙を形成してその横断面積をねじ軸部の横断面積よりも小さく設定した連結部を有するウォ−ムギヤが用いられており、最前進状態のトレイを後進側に押し込むことにより、ウォ−ムホイールを介してウォ−ムギヤのねじ軸部にかかる押込力で前記連結部を中心に該ねじ軸部をラジアルストッパ側に撓ませることを特徴とするディスクプレーヤ。
【請求項２】
筐体に配置したディスク載置用トレイを前後進させるためのウォ−ム機構を有し、該ウォ−ム機構が、トレイに連動連結される合成樹脂製ウォ−ムホイールと、フィードモータにより正逆回転される合成樹脂製ウォ−ムギヤとからなり、該ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも大きく設定され、前記トレイの最前進状態を検知するトレイ検知器を有しており、最前進状態のトレイを後進側に押し込むことにより、前記トレイ検知器が検知オフ状態にされると、そのオフ信号に基づいてフィードモータを駆動してトレイを後進させるようにしたディスクプレーヤにおいて、前記ねじ軸部よりも横断面積を大きく設定した連結部を有するウォ−ムギヤに代えて、外周面に環状凹部を形成してその横断面積をねじ軸部の横断面積よりも小さく設定した連結部を有するウォ−ムギヤが用いられており、最前進状態のトレイを後進側に押し込むことにより、ウォ−ムホイールを介してウォ−ムギヤのねじ軸部にかかる押込力で前記連結部を中心に該ねじ軸部をラジアルストッパ側に撓ませることを特徴とするディスクプレーヤ。
【請求項３】
電気機器用可動体に連動連結される合成樹脂製ウォ−ムホイールと、フィードモータにより正逆回転される合成樹脂製ウォ−ムギヤとからなる電気機器用ウォ−ム機構であって、前記ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも小さく設定されており、電気機器用可動体からウォ−ムホイールを介してウォ−ムギヤのねじ軸部にかかる押込力で前記連結部を中心に該ねじ軸部をラジアルストッパ側に撓ませることを特徴とするディスクプレーヤ。
【請求項４】
前記連結部の内部に空隙を形成することにより、該連結部の横断面積がねじ軸部の横断面積よりも小さく設定されていることを特徴とする請求項３に記載の電気機器用ウォ−ム機構。
【請求項５】
前記連結部の外周面に環状凹溝を形成することにより、該連結部の横断面積がねじ軸部の横断面積よりも小さく設定されていることを特徴とする請求項３に記載の電気機器用ウォ−ム機構。
【請求項６】
前記電気機器用可動体が、ディスクプレーヤの筐体に前後進可能に配置したディスク載置用トレイからなることを特徴とする請求項３から５のいずれかに記載の電気機器用ウォ−ム機構。
【発明の詳細な説明】
【０００１】
【発明の属する技術分野】
本発明は、例えばＤＶＤ・ＲＷなどの光ディスク及び磁気ディスク（以下、ディスクと略称する）の再生や記録または消去を行うためのディスクプレーヤと電気機器用ウォ−ム機構に関し、ウォ−ムホイールを介してウォ−ムギヤにかかる押込力でフィードモータがセルフロックされないようにしたものである。
【０００２】
【従来の技術】
ディスクプレーヤの一例として図５及び図６に示すものがある。これは、ディスクＤ載置用トレイ（電気機器用可動体）１を前後進ａ，ｂ可能に支持する合成樹脂製筐体２が設けられ、ターンテーブル３付きスピンドルモータ４と矢印ｃ，ｄ方向に移動可能な光ピックアップ５とを搭載したドライブシャーシ６の基端部に突設した左右一対の枢支軸６ａを筐体２の後部に設けた軸受２ａに嵌入させると共に、該ドライブシャーシ６の先端に突設した一対の固定カム軸７ａ，７ｂ及び可動カム軸７ｃを筐体２の前部に前後進ａ，ｂ方向とは直交する左右方向ｅ，ｆにスライド可能に配置したカム板８のカム孔８ａに嵌入させることにより、そのドライブシャーシ６が筐体２に枢支軸６ａ回りで上下動ｇ，ｈ可能に組み込まれ、前記トレイ１やドライブシャーシ６及び光ピックアップ５をギヤ機構９を介して選択的に駆動するためのウォ−ム機構１０を有している。図５中、１１はドライブシャーシ６の前端に設けたマイクロスイッチからなるトレイ検知器であって、カム板８に突設した押さえ片８ｂにより押されてトレイ１の最前進ａ状態（図５参照）を検知する。１２はトレイ１の裏面に形成した略Ｌ字状ガイド溝であって、カム板８に突設したガイドピン１３が嵌入されている。
【０００３】
前記ギヤ機構９は、図５に示すように、互いに連動連結された多数のギヤからなるギヤ群９ａを有し、該ギヤ群９ａに連動連結したピニオン９ｂに対してトレイ１の下面に突設したラック９ｃを噛合させることにより、該トレイ１を前後進ａ，ｂさせ、また、ギヤ群９ａを可動カム軸７ｃに接続させ、該可動カム軸７ｃを左右方向ｅ，ｆにスライドさせることにより、カム板８も同方向ｅ，ｆにスライドさせて、各カム軸７ａ〜７ｃを介してドライブシャーシ６を上下動ｇ，ｈさせ、更に、ギヤ群９ａをピニオン５ａ及びラック５ｂを介して光ピックアップ５に接続させることにより、該光ピックアップ５を矢印ｃ，ｄ方向に移動させる。図６中、１５は筐体２の上部に架設した天板部２ｂの中央収納部内に昇降可能に配置した磁石付きディスクホルダである。
【０００４】
前記ウォ−ム機構１０は、ギヤ機構９を介してトレイ１やドライブシャーシ６及び光ピックアップ５に選択的に連動連結される合成樹脂製ウォ−ムホイール１０ａと、フィードモータ１４により正逆回転される合成樹脂製ウォ−ムギヤ１０ｂとからなり、図７に示すように、前記ウォ−ムギヤ１０ｂが、ウォ−ムホイール１０ａに噛合するねじ軸部１６と、フィードモータ１４の駆動軸１４ａに外嵌するボス部１７と、該ボス部１７をねじ軸部１６に同心状に一体連結する連結部１８と、ねじ軸部１６の先端に同心状に突設された先端軸部１６ａとを備え、該先端軸部１６ａを間に挟んでウォ−ムホイール１０ａに対向するラジアルストッパ２１がその先端軸部１６ａの側面からわずかの隙間αをおいてドライブシャーシ６に立設され、前記駆動軸１４ａがモータ本体１４ｂ内の一対の軸受１９により回転可能に支持されている。図７中、２０はねじ軸部１６の先端面を弾性的に支持する弾性支持片である。
【０００５】
従来、前記ウォ−ム機構１０の技術については特許文献１などに記載されており、その一例を説明すると、図７に示すように、ウォ−ムギヤ１０ｂの連結部１８がねじ軸部１６と同径に形成され、該ねじ軸部１６のねじ溝１６ａに相当するものが連結部１８に形成されていない分だけ該連結部１８の横断面積をねじ軸部１６の横断面積よりも大きく設定している。
【０００６】
ローディング動作を説明すると、図８（ａ）はトレイ１の最前進ａ状態を示しており、トレイ検知器１１が押さえ片８ｂにより押さえられている。この状態から、ローディング信号に基づいてフィードモータ１４を駆動させることにより、ウォ−ム機構１０及びギヤ機構９を介して可動カム軸７ｃを左方向ｅにスライドさせ、カム板８も同方向ｅに移動させる。これにより、図８（ｂ）に示すように、カム板８に突設したガイドピン１３がガイド溝１２の傾斜面１２ａを押してトレイ１をわずかに後進ｂさせ、ラック９ｃをピニオン９ｂに噛合させる。また、それとほぼ同時に、トレイ検知器１１から押さえ片８ｂが離間されて、該トレイ検知器１１が検知オフ状態にされ、その検知オフ信号に基づいてフィードモータ１４によりピニオン９ｂを駆動してトレイ１を後進ｂさせる〔図８（ｃ）参照〕。なお、アンローディング動作は上記とほぼ逆であり、その説明を省略する。
【０００７】
図８（ｂ）に仮想線で示すように、指部Ｈにより最前進ａ状態のトレイ１を押し込んだ場合でも、トレイ検知器１１のオフ信号に基づいてフィードモータ１４を駆動させてトレイ１を後進ｂさせる〔図８（ｃ）参照〕。
【０００８】
【特許文献１】
特開２００３−５４４３１号公報
【０００９】
【発明が解決しようとする課題】
上記従来の構成では、ウォ−ムギヤ１０ｂの連結部１８の横断面積がねじ軸部１６の横断面積よりも大きく設定されて、該ウォ−ムギヤ１０ｂが撓みにくい構造になっているため、図８（ｂ）に仮想線で示すように、最前進ａ状態のトレイ１を指部Ｈにより押し込んだ場合に、図７に示すように、ウォームホイール１０ａを介してウォームギヤ１０ｂのねじ軸部１６に押込力Ｆがかかり、その押込力Ｆの両歯面分力Ｆ１，Ｆ２のうち、横断方向の歯面分力Ｆ１が駆動軸１４ａに対して横断方向に直接的にかかる。その結果、先端軸部１６ａがラジアルストッパ２１に当たるまでに、駆動軸１４ａを支持する両軸受１９に過剰な反力が発生して所謂セルフロック状態となり、その駆動軸１４ａが回転不能状態になって，トレイ１が後進ｂできなくなることがあった。
【００１０】
本発明は、上記従来の欠点に鑑み、フィードモータにセルフロックが生じないようにしたディスクプレーヤと電気機器用ウォ−ム機構を提供することを目的としている。
【００１１】
【課題を解決するための手段】
上記目的を達成するため、請求項１記載の発明は、筐体に配置したディスク載置用トレイを前後進させるためのウォ−ム機構を有し、該ウォ−ム機構が、トレイに連動連結される合成樹脂製ウォ−ムホイールと、フィードモータにより正逆回転される合成樹脂製ウォ−ムギヤとからなり、該ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも大きく設定され、前記トレイの最前進状態を検知するトレイ検知器を有しており、最前進状態のトレイを後進側に押し込むことにより、前記トレイ検知器が検知オフ状態にされると、そのオフ信号に基づいてフィードモータを駆動してトレイを後進させるようにしたディスクプレーヤにおいて、前記ねじ軸部よりも横断面積を大きく設定した連結部を有するウォ−ムギヤに代えて、内部に空隙を形成してその横断面積をねじ軸部の横断面積よりも小さく設定した連結部を有するウォ−ムギヤが用いられており、最前進状態のトレイを後進側に押し込むことにより、ウォ−ムホイールを介してウォ−ムギヤのねじ軸部にかかる押込力で前記連結部を中心に該ねじ軸部をラジアルストッパ側に撓ませることを特徴としている。
【００１２】
上記構成は第１の実施の形態（図１及び図２参照）に対応するものであって、これによれば、内部に空隙を形成してその横断面積をねじ軸部の横断面積よりも小さく設定した連結部を有するウォ−ムギヤが用いられているから、最前進状態のトレイを指部で押し込むことにより、ウォ−ムホイールを介してウォ−ムギヤのねじ軸部に押込力がかかった場合に、前記連結部を中心にしてウォ−ムギヤが撓んで先端軸部が直ちにラジアルストッパに当たり、該ラジアルストッパとフィードモータの軸受とに前記押込力が分散され、その軸受に発生する反力が小さくなる。従って、従来のようにフィードモータの軸受に過剰な反力が発生して所謂セルフロック状態となることがなく、トレイを円滑に後進させることができる。
【００１３】
また、前記ボス部の駆動軸嵌合孔を連結部側に延ばすだけで、該連結部の内部に空隙が形成されたウォ−ムギヤを簡単に形成することができる。
【００１４】
ここで重要なことは、ウォ−ムギヤを撓みにくい構造にしなければならないという既存概念を根本的に改めたということであり、一見すると簡単な構造を採用しているが、そこには新たな技術思想に基づいて従来の困難な問題点であったフィードモータのセルフロックを確実に解消するものである。
【００１５】
請求項２に記載の発明は、筐体に配置したディスク載置用トレイを前後進させるためのウォ−ム機構を有し、該ウォ−ム機構が、トレイに連動連結される合成樹脂製ウォ−ムホイールと、フィードモータにより正逆回転される合成樹脂製ウォ−ムギヤとからなり、該ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも大きく設定され、前記トレイの最前進状態を検知するトレイ検知器を有しており、最前進状態のトレイを後進側に押し込むことにより、前記トレイ検知器が検知オフ状態にされると、そのオフ信号に基づいてフィードモータを駆動してトレイを後進させるようにしたディスクプレーヤにおいて、前記ねじ軸部よりも横断面積を大きく設定した連結部を有するウォ−ムギヤに代えて、外周面に環状凹部を形成してその横断面積をねじ軸部の横断面積よりも小さく設定した連結部を有するウォ−ムギヤが用いられており、最前進状態のトレイを後進側に押し込むことにより、ウォ−ムホイールを介してウォ−ムギヤのねじ軸部にかかる押込力で前記連結部を中心に該ねじ軸部をラジアルストッパ側に撓ませることを特徴としている。
【００１６】
上記構成は第２の実施の形態（図３及び図４参照）に対応するものであって、これによれば、請求項１に記載の発明とほぼ同様の作用効果を得ることができ、特に、連結部の外周面に環状凹部を形成するだけで、横断面積をねじ軸部の横断面積よりも小さく設定した連結部を有するウォ−ムギヤを簡単に形成することができる。
【００１７】
請求項３に記載の発明は、電気機器用可動体に連動連結される合成樹脂製ウォ−ムホイールと、フィードモータにより正逆回転される合成樹脂製ウォ−ムギヤとからなる電気機器用ウォ−ム機構であって、前記ウォ−ムギヤが、ウォ−ムホイールに噛合するねじ軸部と、前記フィードモータの駆動軸に外嵌するボス部と、該ボス部をねじ軸部に同心状に一体連結する連結部と、前記ねじ軸部の先端に同心状に突設され側面をウォ−ムホイールに対向してラジアルストッパにより支持された先端軸部とを備え、前記連結部の横断面積がねじ軸部の横断面積よりも小さく設定されており、電気機器用可動体からウォ−ムホイールを介してウォ−ムギヤのねじ軸部にかかる押込力で前記連結部を中心に該ねじ軸部をラジアルストッパ側に撓ませることを特徴としている。
【００１８】
上記構成によれば、ウォ−ムギヤの連結部の横断面積がねじ軸部の横断面積よりも小さく設定されているから、電気機器用可動体からウォ−ムホイールを介してウォ−ムギヤのねじ軸部に押込力がかかった場合に、前記連結部を中心にしてウォ−ムギヤが撓んで先端軸部が直ちにラジアルストッパに当たり、該ラジアルストッパとフィードモータの軸受とに前記押込力が分散され、その軸受に発生する反力が小さくなる。従って、従来のようにフィードモータの軸受に過剰な反力が発生して所謂セルフロック状態となることがなく、電気機器用可動体を円滑に移動させることができる。
【００１９】
ここで重要なことは、ウォ−ムギヤを撓みにくい構造にしなければならないという既存概念を根本的に改めたということであり、一見すると簡単な構造を採用しているが、そこには新たな技術思想に基づいて従来の困難な問題点であったフィードモータのセルフロックを確実に解消するものである。
【００２０】
請求項４に記載の発明は、請求項３に記載の発明において、前記連結部の内部に空隙を形成することにより、該連結部の横断面積がねじ軸部の横断面積よりも小さく設定されていることを特徴としている。
【００２１】
上記構成によれば、前記ボス部の駆動軸嵌合孔を連結部側に延ばすだけで、該連結部の内部に空隙が形成されたウォ−ムギヤを簡単に形成することができる。
【００２２】
請求項５に記載の発明は、請求項３に記載の発明において、前記連結部の外周面に環状凹溝を形成することにより、該連結部の横断面積がねじ軸部の横断面積よりも小さく設定されていることを特徴としている。
【００２３】
上記構成によれば、連結部の外周面に環状凹部を形成するだけで、横断面積をねじ軸部の横断面積よりも小さく設定した連結部を有するウォ−ムギヤを簡単に形成することができる。
【００２４】
請求項６に記載の発明は、請求項３から５のいずれかに記載の発明において、前記電気機器用可動体が、ディスクプレーヤの筐体に前後進可能に配置したディスク載置用トレイからなることを特徴としている。
【００２５】
上記構成によれば、最前進状態のトレイを指部で押し込むことにより、ウォ−ムホイールを介してウォ−ムギヤのねじ軸部に押込力がかかった場合に、連結部を中心にしてウォ−ムギヤが撓んで先端軸部が直ちにラジアルストッパに当たり、該ラジアルストッパとフィードモータの軸受とに前記押込力が分散され、軸受に発生する反力が小さくなる。従って、従来のようにフィードモータの軸受に過剰な反力が発生して所謂セルフロック状態となることがなく、トレイを円滑に後進させることができるようにしたディスクプレーヤを提供することができる。
【００２６】
【発明の実施の形態】
図１及び図２は本発明の第１の実施の形態であるディスクプレーヤの要部を示すものであって、ウォ−ムギヤ１０ｂの連結部１８がねじ軸部１６と同径に形成され、該連結部１８の内部に、ボス部１７の駆動軸嵌合孔１７ａと同径の空隙１８ａを形成して、該連結部１８の横断面積をねじ軸部１６の横断面積の横断面積よりも小さく設定している。上記以外の構成は図５から図８に示す構成とほぼ同一であるから、同一部分に同一符号を付してその説明を省略する。
【００２７】
上記構成において、図８（ｂ）に仮想線で示すように、指部Ｈにより最前進ａ状態のトレイ１を押し込んだ場合に、ウォームホイール１０ａを介してウォームギヤ１０ｂのねじ軸部１６に押込力Ｆがかかり、その押込力Ｆの両歯面分力Ｆ１，Ｆ２のうち、横断方向の歯面分力Ｆ１により連結部１８を中心にしてウォ−ムギヤ１０ｂが撓んで先端軸部１６ａが直ちにラジアルストッパ２１に当たり〔図１（ｂ）の仮想線参照〕、該ラジアルストッパ２１とフィードモータ１４の両軸受１９とに歯面分力Ｆ１が分散され、両軸受１９に発生する反力が小さくなる。従って、従来のようにフィードモータ１４の両軸受１９に過剰な反力が発生して所謂セルフロック状態となることがなく、トレイ１を円滑に後進ｂさせることができる。
【００２８】
また、前記ボス部１７の駆動軸嵌合孔１７ａを連結部１８側に延ばすだけで、該連結部１８の内部に空隙１８ａが形成されたウォ−ムギヤ１０ｂを簡単に形成することができる。
【００２９】
ここで重要なことは、ウォ−ムギヤ１０ｂを撓みにくい構造にしなければならないという既存概念を根本的に改めたということであり、一見すると簡単な構造を採用しているが、そこには新たな技術思想に基づいて従来の困難な問題点であったフィードモータ１４のセルフロックを確実に解消するものである。
【００３０】
図３及び図４は本発明の第２の実施の形態であるディスクプレーヤの要部を示すものであって、ウォ−ムギヤ１０ｂの連結部１８の外周面に環状凹溝１８ｂを形成して、該連結部１８の横断面積をねじ軸部１６の横断面積の横断面積よりも小さく設定している。上記以外の構成は図１及び図２に示す構成とほぼ同一であるから、同一部分に同一符号を付してその説明を省略する。
【００３１】
上記構成によれば、第１の実施の形態とほぼ同じ作用効果を得ることができ、特に、連結部１８の外周面に環状凹溝１８ｂを形成するだけで、横断面積をねじ軸部１６の横断面積よりも小さく設定した連結部１８を有するウォ−ムギヤ１０ｂを簡単に形成することができる。
【００３２】
第１、第２の実施の形態では、ディスクプレーヤを例にあげて説明したが、これに限定されるわけではなく、各種電気機器の可動体を駆動するためのウォ−ム機構にも適用される。
【００３３】
【発明の効果】
請求項１に記載の発明によれば、第１の実施の形態（図１及び図２参照）に示すように、内部に空隙を形成してその横断面積をねじ軸部の横断面積よりも小さく設定した連結部を有するウォ−ムギヤが用いられているから、最前進状態のトレイを指部で押し込むことにより、ウォ−ムホイールを介してウォ−ムギヤのねじ軸部に押込力がかかった場合に、前記連結部を中心にしてウォ−ムギヤが撓んで先端軸部が直ちにラジアルストッパに当たり、該ラジアルストッパとフィードモータの軸受とに前記押込力が分散され、軸受に発生する反力が小さくなる。従って、従来のようにフィードモータの軸受に過剰な反力が発生して所謂セルフロック状態となることがなく、トレイを円滑に後進させることができる。
【００３４】
また、前記ボス部の駆動軸嵌合孔を連結部側に延ばすだけで、該連結部の内部に空隙が形成されたウォ−ムギヤを簡単に形成することができる。
【００３５】
ここで重要なことは、ウォ−ムギヤを撓みにくい構造にしなければならないという既存概念を根本的に改めたということであり、一見すると簡単な構造を採用しているが、そこには新たな技術思想に基づいて従来の困難な問題点であったフィードモータのセルフロックを確実に解消するものである。
【００３６】
請求項２に記載の発明によれば、第２の実施の形態（図３及び図４参照）に示すように、請求項１に記載の発明とほぼ同様の作用効果を得ることができ、特に、連結部の外周面に環状凹部を形成するだけで、横断面積をねじ軸部の横断面積よりも小さく設定した連結部を有するウォ−ムギヤを簡単に形成することができる。
【００３７】
請求項３に記載の発明によれば、ウォ−ムギヤの連結部の横断面積がねじ軸部の横断面積よりも小さく設定されているから、電気機器用可動体からウォ−ムホイールを介してウォ−ムギヤのねじ軸部に押込力がかかった場合に、前記連結部を中心にしてウォ−ムギヤが撓んで先端軸部が直ちにラジアルストッパに当たり、該ラジアルストッパとフィードモータの軸受とに前記押込力が分散され、軸受に発生する反力が小さくなる。従って、従来のようにフィードモータの軸受に過剰な反力が発生して所謂セルフロック状態となることがなく、電気機器用可動体を円滑に移動させることができる。
【００３８】
ここで重要なことは、ウォ−ムギヤを撓みにくい構造にしなければならないという既存概念を根本的に改めたということであり、一見すると簡単な構造を採用しているが、そこには新たな技術思想に基づいて従来の困難な問題点であったフィードモータのセルフロックを確実に解消するものである。
【００３９】
請求項４に記載の発明によれば、前記ボス部の駆動軸嵌合孔を連結部側に延ばすだけで、該連結部の内部に空隙が形成されたウォ−ムギヤを簡単に形成することができる。
【００４０】
請求項５に記載の発明によれば、連結部の外周面に環状凹部を形成するだけで、横断面積をねじ軸部の横断面積よりも小さく設定した連結部を有するウォ−ムギヤを簡単に形成することができる。
【００４１】
請求項６に記載の発明によれば、最前進状態のトレイを指部で押し込むことにより、ウォ−ムホイールを介してウォ−ムギヤのねじ軸部に押込力がかかった場合に、連結部を中心にしてウォ−ムギヤが撓んで先端軸部が直ちにラジアルストッパに当たり、該ラジアルストッパとフィードモータの軸受とに前記押込力が分散され、軸受に発生する反力が小さくなる。従って、従来のようにフィードモータの軸受に過剰な反力が発生して所謂セルフロック状態となることがなく、トレイを円滑に後進させることができるようにしたディスクプレーヤを提供することができる。
【図面の簡単な説明】
【図１】（ａ）は本発明の第１の実施の形態であるディスクプレーヤの要部の拡大断面図、（ｂ）は同原理図である。
【図２】図１のＡ−Ａ拡大矢視図である。
【図３】（ａ）は本発明の第２の実施の形態であるディスクプレーヤの要部の拡大断面図、（ｂ）は同原理図である。
【図４】図３のＢ−Ｂ拡大矢視図である。
【図５】ディスクプレーヤのアンローディング状態を示す平面図である。
【図６】同状態の縦断面図である。
【図７】（ａ）は従来例を示す要部の拡大縦断面図、（ｂ）は同原理図である。
【図８】（ａ）〜（ｃ）はローディング動作を示す概略説明図である。
【符号の説明】
１        トレイ（電気機器用可動体）
２        筐体
１０      ウォ−ム機構
１０ａ    ウォ−ムホイール
１０ｂ    ウォ−ムギヤ
１４      フィードモータ
１４ａ    フィードモータの駆動軸
１６      ねじ軸部
１６ａ    先端軸部
１７      ボス部
１８      連結部
１８ａ    空隙
１８ｂ    環状凹溝
２１      ラジアルストッパ
Ｆ        押込力
ａ        前進
ｂ        後進
【図１】
2005042793.tif 000003
【図２】
2005042793.tif 000004
【図３】
2005042793.tif 000005
【図４】
2005042793.tif 000006
【図５】
2005042793.tif 000007
【図６】
2005042793.tif 000008
【図７】
2005042793.tif 000009
【図８】
2005042793.tif 000010